(57)【要約】【課題】ＣＡＤシステムを使った住宅間取り設計の大部分を操作が容易なシミュレーションソフトにより実現する。【解決手段】住宅建築用シミュレーションソフト３と、このシミュレーションソフトで作成した間取り情報を、汎用的な住宅建築用間取りフォーマットである中間フォーマットに変換する手段４１を備えた第１の機器１と、住宅建築用ＣＡＤシステム２１を備えた第２の機器２とがあり、第２の機器２から前記第１の機器１が備えている住宅建築用シミュレーションソフト３や変換手段４１を起動可能とした。第１の機器１は中間フォーマットをターゲットとなる住宅建築用ＣＡＤシステム２１のデータに変換する手段４２を更に備えることが好ましい。【選択図】        図１
2004185054.tif 000002
【特許請求の範囲】
【請求項１】
住宅建築用シミュレーションソフトを備えた第１の機器があり、前記機器は、前記シミュレーションソフトで作成した間取り情報を、汎用的な住宅建築用間取りフォーマットである中間フォーマットに変換する手段を有し、前記機器は、前記中間フォーマットに住宅建築用ＣＡＤシステムに特有の情報を付加する手段を有し、前記変換手段を用いて変換されるデータは、住宅建築用ＣＡＤシステムを用いて読み込み可能とすることにより、住宅建築用シミュレーションソフトで作成した間取りと同一の間取りを住宅建築用ＣＡＤシステム上に再現可能としたことを特徴とする住宅間取り設計支援システム。
【請求項２】
住宅建築用ＣＡＤシステムを備えた第２の機器があり、第２の機器から前記第１の機器が備えている住宅建築用シミュレーションソフトを起動することが可能であることを特徴とする請求項１記載の住宅間取り設計支援システム。
【請求項３】
第２の機器は、第２の機器から起動した第１の機器が有している住宅建築用シミュレーションソフトで作成した間取りを、第１の機器が有している前記中間フォーマットに変換する手段と、住宅建築用ＣＡＤシステムに特有の情報を付加する手段を起動する手段を有し、住宅建築用ＣＡＤデータに変換された該データを第２の機器が備えている住宅建築用ＣＡＤシステムにより読み込むことにより、住宅建築用シミュレーションソフトで作成した間取りを、住宅建築用ＣＡＤシステム上で再現可能としたことを特徴とする請求項２記載の住宅間取り設計支援システム。
【請求項４】
請求項１において、前記中間フォーマットが階層的な構造であることを特徴とする住宅間取り設計支援システム。
【請求項５】
請求項１又は２において、各種住宅建築用ＣＡＤシステムの中から第１の機器及び第２の機器によって選択された住宅建築用ＣＡＤに特有の情報を、前記中間フォーマットに付加することが可能であることを特徴とする住宅間取り設計支援システム。
【請求項６】
請求項５において、第１の機器によって指定された電子メールの宛先に、前記中間フォーマットのデータ及び前記中間フォーマットに特定の住宅建築用ＣＡＤシステムに特有の情報を付加したデータを電子メールに添付して送信することが可能であることを特徴とする住宅間取り設計支援システム。
【請求項７】
請求項５において、第１の機器によって変換された前記中間フォーマットのデータ及び前記中間フォーマットに特定の住宅建築用ＣＡＤシステムに特有の情報を付加したデータを、第１の機器に保存し、以後保存したデータを読み出すことが可能であることを特徴とする住宅間取り設計支援システム。
【請求項８】
請求項１〜３のいずれかにおいて、第１の機器と第２の機器がネットワークにより接続されており、第１の機器がサーバ、第２の機器がクライアントであり、インターネット回線を用いることにより、住宅建築用シミュレーションソフトをサーバからクライアントへ送信し、クライアントは送信されたソフトを用いて間取りを作成し、作成した間取りを前記中間フォーマット及び住宅建築用ＣＡＤデータに変換し、変換された該データをサーバによりインターネット上に公開し、配信可能としたことを特徴とする住宅間取り設計支援システム。
【請求項９】
請求項１〜３のいずれかにおいて、住宅建築用ＣＡＤシステムを備えた第２の機器で作成した間取り情報のデータを、第１の機器によって前記中間フォーマットに変換する手段を有し、前記中間フォーマットを第１の機器が備えている前記住宅建築用シミュレーションソフト用の間取りデータに変換する手段を有し、変換されたデータは、前記住宅建築用シミュレーションソフトを用いて間取りを再現可能としたことを特徴とする住宅間取り設計支援システム。
【請求項１０】
請求項９において、第２の機器から前記第１の機器が備えている住宅建築用シミュレーションソフトを起動することが可能であり、変換されたデータを前記住宅建築用シミュレーションソフトを用いて、第２の機器上に、間取りを再現可能としたことを特徴とする住宅間取り設計支援システム。
【発明の詳細な説明】
【０００１】
【発明の属する技術分野】
本発明は、住宅建築用シミュレーションソフトの間取りデータを各種住宅建築用ＣＡＤ（Ｃｏｍｐｕｔｅｒ  Ａｉｄｅｄ  Ｄｅｓｉｇｎ）システムの間取りデータに変換する手段、また、その逆変換をするための変換手段、変換された間取りデータをインターネットなどを介してパーソナルコンピュータなどの通信端末間で授受する手段を有する住宅間取り設計支援システムに関するものである。
【０００２】
【従来の技術】
【特許文献１】
特開２００２−１６３３０８号公報
【０００３】
従来、住宅の設計図面の作成にＣＡＤシステムを用いることは広く行われている。その場合、市販されている汎用のＣＡＤシステムを用いて住宅の設計図面の作成を行うことは非効率であるため、住宅の各種構成部材のライブラリー（データベース）を有する住宅の設計図面専用のＣＡＤ（以下、住宅建築用ＣＡＤ）が開発されている。
【０００４】
【発明が解決しようとする課題】
ところが、上述した住宅建築用ＣＡＤシステムの操作は難しく、一定の訓練を受けているＣＡＤオペレータや一部の住宅設計者が使用しているというのが現状である。そのため、住宅を設計する場合、設計者からの一方的な提案を施主は聞き入れるといったことがよく見受けられ、施主の意思が設計へと反映されない、施主の意思を設計者へ伝える機会があったとしても、意思を伝える適切な手段がないため、実際の建築物と施主の思いとが一致していないというのが実情である。
【０００５】
先のことを踏まえ、パーソナルコンピュータなどを使用し、住宅建築用ＣＡＤシステムの操作を簡易にしたシステムが市販されている。これは、上掲の特許文献１などに開示されており、容易な操作で住宅の設計のシミュレーションが行え、施主の思いを形に表すシステムとして大衆に受け入れられている。しかし、簡易化したために実際の住宅建築用ＣＡＤまでの詳細な設計が行えず、両システム間詳細後における大きな差異が問題である。
【０００６】
また、住宅建築用ＣＡＤはインターネットなどのネットワークでの使用を前提として稼動するシステムではないため、設計者が住宅建築用ＣＡＤシステムを使用して設計した住宅の平面図やパース図を印刷し、施主と設計者両者立会いのもと、印刷物を頼りに施主と設計者の意思疎通を図ることが一般的であり、立ち会うための移動に時間的、金銭的なコストが発生することが問題である。
【０００７】
【課題を解決するための手段】
請求項１に係る住宅間取り設計支援システムによれば、上記の課題を解決するために、住宅建築用シミュレーションソフトを備えた第１の機器があり、前記機器は、前記シミュレーションソフトで作成した間取り情報を、汎用的な住宅建築用間取りフォーマットである中間フォーマットに変換する手段を有し、前記機器は、前記中間フォーマットに住宅建築用ＣＡＤシステムに特有の情報を付加する手段を有し、前記変換手段を用いて変換されるデータは、住宅建築用ＣＡＤシステムを用いて読み込み可能とすることにより、住宅建築用シミュレーションソフトで作成した間取りと同一の間取りを住宅建築用ＣＡＤシステム上に再現可能としたことを特徴とするものである。
請求項２によれば、請求項１記載の住宅間取り設計支援システムにおいて、住宅建築用ＣＡＤシステムを備えた第２の機器があり、第２の機器から前記第１の機器が備えている住宅建築用シミュレーションソフトを起動することが可能であることを特徴とする。
【０００８】
請求項３によれば、請求項２記載の住宅間取り設計支援システムにおいて、第２の機器は、第２の機器から起動した第１の機器が有している住宅建築用シミュレーションソフトで作成した間取りを、第１の機器が有している前記中間フォーマットに変換する手段と、住宅建築用ＣＡＤシステムに特有の情報を付加する手段を起動する手段を有し、住宅建築用ＣＡＤデータに変換された該データを第２の機器が備えている住宅建築用ＣＡＤシステムにより読み込むことにより、住宅建築用シミュレーションソフトで作成した間取りを、住宅建築用ＣＡＤシステム上で再現可能としたことを特徴とする。
請求項４によれば、請求項１記載の住宅間取り設計支援システムにおいて、前記中間フォーマットが階層的な構造であることを特徴とする。
請求項５によれば、請求項１又は２記載の住宅間取り設計支援システムにおいて、各種住宅建築用ＣＡＤシステムの中から第１の機器及び第２の機器によって選択された住宅建築用ＣＡＤに特有の情報を、前記中間フォーマットに付加することが可能であることを特徴とする。
【０００９】
請求項６によれば、請求項５記載の住宅間取り設計支援システムにおいて、第１の機器によって指定された電子メールの宛先に、前記中間フォーマットのデータ及び前記中間フォーマットに特定の住宅建築用ＣＡＤシステムに特有の情報を付加したデータを電子メールに添付して送信することが可能であることを特徴とする。
請求項７によれば、請求項５記載の住宅間取り設計支援システムにおいて、第１の機器によって変換された前記中間フォーマットのデータ及び前記中間フォーマットに特定の住宅建築用ＣＡＤシステムに特有の情報を付加したデータを、第１の機器に保存し、以後保存したデータを読み出すことが可能であることを特徴とする。
【００１０】
請求項８によれば、請求項１〜３のいずれかに記載の住宅間取り設計支援システムにおいて、第１の機器と第２の機器がネットワークにより接続されており、第１の機器がサーバ、第２の機器がクライアントであり、インターネット回線を用いることにより、住宅建築用シミュレーションソフトをサーバからクライアントへ送信し、クライアントは送信されたソフトを用いて間取りを作成し、作成した間取りを前記中間フォーマット及び住宅建築用ＣＡＤデータに変換し、変換された該データをサーバによりインターネット上に公開し、配信可能としたことを特徴とする。
請求項９によれば、請求項１〜３のいずれかに記載の住宅間取り設計支援システムにおいて、住宅建築用ＣＡＤシステムを備えた第２の機器で作成した間取り情報のデータを、第１の機器によって前記中間フォーマットに変換する手段を有し、前記中間フォーマットを第１の機器が備えている前記住宅建築用シミュレーションソフト用の間取りデータに変換する手段を有し、変換されたデータは、前記住宅建築用シミュレーションソフトを用いて間取りを再現可能としたことを特徴とする。
請求項１０によれば、請求項９記載の住宅間取り設計支援システムにおいて、第２の機器から前記第１の機器が備えている住宅建築用シミュレーションソフトを起動することが可能であり、変換されたデータを前記住宅建築用シミュレーションソフトを用いて、第２の機器上に、間取りを再現可能としたことを特徴とする。
【００１１】
【発明の実施の形態】
図１は本発明の住宅間取り設計支援システムに用いる第１の機器及び第２の機器のシステム構成図である。図中、１は第１の機器であり、２は第２の機器である。第１の機器１は、住宅建築用シミュレーションソフト３と、間取りデータ変換処理部４と、複数のデータファイル５１〜５３を備えている。
【００１２】
住宅建築用シミュレーションソフト３は、上掲の特許文献１に開示されているように、パーソナルコンピュータを使用して、容易な操作で住宅の設計のシミュレーションが行えるソフトであり、図４に示すような間取り作成インターフェース３１と、作成された間取りを図５に示すように３次元立体表示するための３Ｄデータ空間表示ソフト３２と、３次元立体表示された間取りに配置される家具等のデータを格納した家具・部品データベース３３とを備えている。
【００１３】
間取りデータ変換処理部４は、中間フォーマット変換部４１と、ＣＡＤデータ付加・削除変換部４２と、間取りデータ送受信部４３を備えている。中間フォーマット変換部４１は、住宅建築用シミュレーションソフト３を用いて作成されたシミュレーション用間取りデータ５１を、汎用的な住宅建築用間取りフォーマットである中間フォーマットデータ５２に変換する。
【００１４】
中間フォーマットデータ５２は、図６に例示するように階層的な構造を有しており、住宅の物理的な階層構造を文書上の階層構造に割り付けてある。このように、住宅の物理的な階層構造と文書上の階層構造を対応付けることによって、文字のみで表された住宅間取りを人が理解する場合、物理的、構造的なイメージを容易に想起されることが可能であるだけでなく、文字のみで表された間取りに、別の間取りや家具を追加する場合に、前記にある構造上の特徴を失うことなく追加できることが特徴である。また、文字のみで表された住宅間取りをパーソナルコンピュータなどの機器に読み込ませる場合でも、文字のみで構造上の情報を持っているため、住宅の物理的な階層構造を特定する手段を別途用意する必要がなく、データ容量の点や、パーソナルコンピュータへの処理の負荷の点においても、非常に有利である。
【００１５】
ＣＡＤデータ付加・削除変換部４２は、中間フォーマットデータ５２にターゲットとなる住宅建築用ＣＡＤシステムに必要とされるデータを付加すると共に、該住宅建築用ＣＡＤシステムでは不要とされるデータを削除して、ＣＡＤシステム用データ５３を作成する。ＣＡＤシステム用データの一例を図７に示す。間取りデータ送受信部４３は、電子メールシステム等よりなり、ＣＡＤシステム用データ５３を第２の機器２との間で送受信する。
【００１６】
第２の機器２は、住宅建築用ＣＡＤシステム２１を備えている。この住宅建築用ＣＡＤシステム２１を用いて作成されたＣＡＤシステム用データ２２は、間取りデータ送受信部２３を用いて第１の機器１に送信することができる。第２の機器２の間取りデータ送受信部２３も、電子メールシステム等よりなり、第１の機器１と第２の機器２はネットワークを介して接続されている。
【００１７】
また、第２の機器２は、第１の機器１の住宅建築用シミュレーションソフト３の起動処理部２４を備えており、第２の機器２から第１の機器１が備えている住宅建築用シミュレーションソフト３を起動することが可能となっている。また、第２の機器２は、第２の機器２から起動した第１の機器１が有している住宅建築用シミュレーションソフト３で作成した間取りを、第１の機器１が有している前記中間フォーマットデータ５２に変換する手段４１と、住宅建築用ＣＡＤシステム２１に特有の情報を付加する手段４２を起動する手段２５を有しており、住宅建築用ＣＡＤデータ５３に変換された該データを第２の機器２が備えている住宅建築用ＣＡＤシステム２１により読み込むことにより、住宅建築用シミュレーションソフト３で作成した間取りを、住宅建築用ＣＡＤシステム２１上で再現可能としている。
【００１８】
このシステムによれば、第１の機器１の住宅建築用シミュレーションソフト３を用いて作成され、間取りデータ変換処理部４で変換されたＣＡＤシステム用データ５３を第１の機器１から受信して、第２の機器２にＣＡＤシステム用データ２２として格納し、住宅建築用ＣＡＤシステム２１を用いて読み出すことが出来る。これにより、住宅建築用シミュレーションソフト３を用いて作成した住宅プランを住宅建築用ＣＡＤシステム２１により読み出して、専門家が手を加えて最終プランに仕上げることができる。また、専門家が手を加えたプランを、間取りデータ変換処理部４により逆変換することにより、住宅建築用シミュレーションソフト３により読み出せるようにして、施主の確認を受けることもできる。
【００１９】
図２は順変換の場合の処理フロー、図３は逆変換の場合の処理フローを示している。図２の順変換の場合、第２の機器２から第１の機器１の住宅建築用シミュレーションソフト起動処理部２４を操作することにより、第１の機器１の住宅建築用シミュレーションソフト３を起動させる。これにより、第１の機器１の間取り作成インタフェース３１が起動し、第２の機器２の操作画面には、図４に示すような間取り作成画面が現れる。
【００２０】
以下、間取り作成ソフトによる間取り作成の手順について簡単に説明する。まず、図４の「敷地設定」のボタンをマウスでクリックすると、敷地の幅（ｍｍ）×奥行（ｍｍ）を入力する画面が現れて、敷地の幅（ｍｍ）と奥行（ｍｍ）を数値入力すると、敷地の面積と坪数が計算されて表示され、敷地の内外が別の色で表示されて、敷地の外に間取り設計のための部品を配置することは出来なくなる。なお、矩形の敷地の頂点をマウスでドラッグして異形の敷地を設定できるようにしても構わない。
【００２１】
図４の間取り設計画面では、等間隔で複数本の格子線（グリッド）が縦横に描かれており、この領域にユーザーが間取りを作成していくものである。黒い三角形で等間隔に表示されたスケール（ものさし）の間隔は９０ｃｍとなっているが、これは任意の間隔（例えば１００ｃｍなど）に変更することもできる。
【００２２】
間取りを設計するには、まず、画面の右側に表示された部品のカテゴリー選択欄１１から部品のカテゴリーを選択する。図４に示された例では、部品のカテゴリーとして「和室」が選択されており、部品リスト表示欄１２に、「和室４．５畳」「和室６．０畳」「和室８．０畳」、…などが部品として表示されている。これ以外にも、洋室、ＬＤＫ、キッチン、洗面室、トイレ、浴室、玄関、廊下、収納、窓、ドア、開口、その他の部品カテゴリーを選択することもできる。また、部品のサイズ表示欄１３では、選択された部品の名称とサイズが表示されている。部品のサイズは幅（ｍｍ表示）×奥行（ｍｍ表示）および面積（ｍ２  換算、坪換算）で表示される。
【００２３】
以下、具体的な間取り作成の様子を図４を用いて説明する。図４の例では、部品のカテゴリーとして「和室」が選択されており、部品リスト表示欄１２から「和室６．０畳」を選択し、マウスで平面図１０上にドラッグ＆ドロップすることにより、すでに配置されている洋室６．０畳に隣接して和室６．０畳を配置する様子を示している。配置された「和室６．０畳」を「和室４．５畳」に変更したい場合には、図４の「削除」のボタンをマウスでクリックして直前に配置した「和室６．０畳」の部品を削除し、部品リスト表示欄１２から新たに「和室４．５畳」を選択し、マウスで平面図１０上にドラッグ＆ドロップして配置し直せば良い。同様に、キッチン、洗面室、トイレ、浴室、玄関、廊下、収納、窓、ドア、開口、その他の部品も配置することができる。配置された部品を全て削除して最初から配置し直したいときには、図４の「全削除」のボタンを操作するものである。また、配置した部品の向きを変えたいときには、図４の「回転」のボタンを操作するものである。
【００２４】
また、図４の「変形」のボタンを操作することにより、定形の部品の辺または頂点をマウスで自由に移動させて、異形の間取りを入力することもできる。この方法では、より自由度の高い設計が可能となる。また、新規形状が発生した場合でも部品設計の必要がなく、システム修正のコストを削減できる。
【００２５】
このようにして間取りを作成した後、図４の「３Ｄ」のボタンをマウスでクリックすると、３Ｄデータ空間表示ソフト３２が起動し、平面図１０を３次元化して、図５に示すような立体間取りが間取り表示画面１４に表示される。このとき、間取り表示画面１４では、柱や梁などの建築構造上必要な躯体情報が適宜自動的に付加されて３次元表示に反映される。この間取り表示画面１４の下方には、視点操作ボタン１５〜１９が配置されている。これらのボタンを操作することにより、ユーザーは確認したい内容に応じて自由に視点を変更することができる。
【００２６】
まず、視点の移動速度を変更するための操作部１５には、ｓｌｏｗ、ｎｏｒｍａｌ、ｆａｓｔのボタンが設けられており、視点の移動速度を３段階に選択できる仕様となっている。次に、視点の高さ変更のための操作部１６には、ｈｉｇｈ、ｌｏｗのボタンが設けられており、その右側に現在の視点の高さを数値で表示している。
【００２７】
次に、２次元表示と３次元表示を切り替えるための操作部１７について説明する。図５の「平面図」のボタンを操作すると、間取り表示画面１４は図４に示すような２次元的な表示に切り替わる。また、図５の「３Ｄ」（３次元表示）のボタンを操作すると、間取り表示画面１４の表示が図５に示すような３次元的な表示となる。なお、「平面図」のボタンをダブルクリックあるいは右クリックすると、図４に示す間取り作成画面に戻れるようにしても良い。
【００２８】
図５の操作部１８は視点移動のための操作部であり、前後左右に視点を移動させるための４つのボタンと、視線方向を変えるための時計方向と反時計方向の矢印を有する２つのボタンを備えている。この視点操作部１８の右側に、水平面に対する視線方向の仰角または俯角を所定角度ずつ増減できる操作部１９が配置されており、「見上げる」方向または「見下ろす」方向にも視線方向を任意に設定できるようになっている。操作部１９のｒｅｓｅｔのボタンを押すと、視線方向は水平方向にリセットされる。
【００２９】
図５の間取り表示画面１４の右側には、間取り設計された室内に配置できる家具（テーブル、ソファなど）、その他（カーテン、観葉植物など）の商品をマウスで選択できる商品選択欄２０が表示されており、選択した商品を間取り表示画面１４に貼り付けて、商品操作ボタン２１で向きを調整することにより、好みの商品を好みの位置に好みの向きで配置することができる。
【００３０】
このようにして、作成した間取りは、図４の「保存」のボタンを操作することにより間取りデータとして保存することができ、「印刷」のボタンを操作することによりプリントアウトすることができ、「ＣＡＤ」のボタンを操作することによりＣＡＤデータに変換して保存することができる。
【００３１】
図２の説明に戻って、次に、第２の機器２から第１の機器１の間取りデータ変換起動処理部２５を操作することにより、第１の機器１の間取りデータ変換処理部４を起動させる。これにより、第１の機器１の間取りデータ変換処理部４が起動し、住宅建築用シミュレーションソフト３により作成されたシミュレーション用間取りデータ５１が中間フォーマット変換部４１により中間フォーマットデータ５２に変換される。次に、ＣＡＤデータ付加・削除変換部４２により中間フォーマットデータ５２に対して住宅建築用ＣＡＤシステム２１に特有のデータを付加され、住宅建築用ＣＡＤシステム２１には不要なデータを削除されて、ＣＡＤシステム用データ５３に変換され、格納される。
【００３２】
図３の逆変換の場合、まず、第２の機器２の住宅建築用ＣＡＤシステム２１を用いて間取り作成を行い、ＣＡＤシステム用データ２２として格納する。次に、第２の機器２から第１の機器１の間取りデータ変換起動処理部２５を操作することにより、第１の機器１の間取りデータ変換処理部４を起動させる。これにより、第１の機器１の間取りデータ変換処理部４が起動し、第２の機器２のＣＡＤシステム用データ２２が間取りデータ送受信部２３，４３を介して第１の機器１に送られて、ＣＡＤデータ付加・削除変換部４２により住宅建築用ＣＡＤシステム２１に特有のデータを削除され、住宅建築用シミュレーションソフト３には必要なデータを付加されて、中間フォーマットデータ５２として格納される。次に、中間フォーマット変換部４１により中間フォーマットデータ５２が住宅建築用シミュレーションソフト３により読み出し可能なシミュレーション用間取りデータ５１に変換される。
【００３３】
なお、ＣＡＤデータ付加・削除変換部４２では、特定の住宅建築用ＣＡＤシステムのみならず、複数のＣＡＤメーカが提供する各種の住宅建築用ＣＡＤシステムの中から第１の機器及び第２の機器によって選択された住宅建築用ＣＡＤシステムに特有の情報を、前記中間フォーマットに付加できるようにしても良い。これにより、施主が作成した初期プランを複数の工務店に公開してコンペ形式で最終プランを立案させることも可能となる。施主が作成したプランを工務店に開示するには、例えば、第１の機器１によって指定された電子メールの宛先に、前記中間フォーマットのデータ５２及び前記中間フォーマットに特定の住宅建築用ＣＡＤシステムに特有の情報を付加したデータ５３を電子メールに添付して送信可能としておけば良い。すなわち、第１の機器１の間取りデータ送受信部４３は、例えば電子メールの送受信システムとアドレス帳のデータを用いて構成できる。
【００３４】
また、本システムでは、住宅建築用シミュレーションソフト３によって作成された間取りに付加された識別番号を用いることによって、作成された間取りデータを第１の機器１に保存することが可能であり、後日、住宅建築用シミュレーションソフト３上に読み出すことが可能である。また、前記保存、読み出し機能と同様、変換された中間フォーマットのデータ５２及びＣＡＤシステムに特有の間取り情報を付加したデータ５３も保存、読み出しが可能である。
【００３５】
このように、第１の機器１によって変換された前記中間フォーマットのデータ５２及び前記中間フォーマットに特定の住宅建築用ＣＡＤシステムに特有の情報を付加したデータ５３を、第１の機器１に保存し、以後保存したデータを読み出すことを可能としておけば、前回までの検討結果に新たに編集を加えたり、ひな形としてあらかじめ用意されたプランに施主なりの変更を加えるようなことも可能となる。
【００３６】
本発明は、１つのパーソナルコンピュータのみでも使用可能であると共に、複数のパーソナルコンピュータをＬＡＮ（Ｌｏｃａｌ  Ａｒｅａ  Ｎｅｔｗｏｒｋ）や、複数の公衆回線とインターネットサービスプロバイダを介して接続することによって、ある一つのパーソナルコンピュータが備えている機能を他のパーソナルコンピュータから利用することも可能である。
【００３７】
例えば、第１の機器１と第２の機器２がインターネットにより接続されており、第１の機器１がサーバ、第２の機器２がクライアントであり、インターネット回線を用いることにより、住宅建築用シミュレーションソフト３をサーバからクライアントへ送信し、クライアントは送信されたソフトを用いて間取りを作成し、作成した間取りを前記中間フォーマットデータ５２及び住宅建築用ＣＡＤデータ５３に変換し、変換された該データをサーバによりインターネット上に公開し、配信可能としても良い。
【００３８】
インターネットサービスプロバイダは、ＬＡＮを介して相互に接続されたルータ、ＷＥＢサーバ、メールサーバ、コミュニケーションサーバなどで構成されている。ＷＥＢサーバには、ＷＥＢサーバから複数のクライアントパーソナルコンピュータへ送信するコンテンツを格納するためのハードディスクが設けられており、コミュニケーションサーバには公衆電話回線を介してパーソナルコンピュータと接続するためのモデムが設けられている。このインターネットサービスプロバイダは、コミュニケーションサーバに対し公衆電話回線を介してダイヤルアップＩＰ接続したクライアント（ユーザ）のパーソナルコンピュータから送信されてきたコンテンツ要求リクエストに対して、該当するコンテンツをＷＥＢサーバから該当のクライアントへ返信する。また、インターネットサービスプロバイダは、インターネットを介してクライアント宛ての電子メールが送られてくるとメールスプールに蓄積して保存しておき、該当するクライアント（ユーザ）からの転送要求があるとそのクライアント（ユーザ）宛てに電子メールを転送する。
【００３９】
また、インターネットサービスプロバイダのサーバ及びクライアント（ユーザ）のパーソナルコンピュータは、演算処理ユニット（ＣＰＵ）、ＲＯＭ、ＲＡＭ、ハードディスクドライブ、フレキシブルディスクドライブ、ＣＤ−ＲＯＭドライブ、表示制御部、モデム、インターフェース部、ビデオＲＡＭなどが設けられた装置本体と、上記制御装置部に接続されたＣＲＴ又はＬＣＤ等の表示装置と、上記インターフェース部分に接続されたキーボード及びマウスとからなる。そして、パーソナルコンピュータは、装置本体に設けられたモデムを介して公衆電話回線に接続されるようになっている。
【００４０】
パーソナルコンピュータは、例えば、ＣＤ−ＲＯＭに格納された住宅建築用シミュレーションソフトをＣＤ−ＲＯＭドライブを用いてインストールすることにより、住宅間取りのシミュレーションソフトとしても機能するが、ＷＥＢサーバにも同様の住宅建築用シミュレーションソフトが格納されているため、クライアントから要求を送信することによりサーバからダウンロードすることも可能になっている。
【００４１】
したがって、本発明におけるプログラムの供用媒体は、例えばＣＤ−ＲＯＭなどの記憶媒体のみならず、インターネットやデジタル衛星データ放送などの伝送媒体を包含する広義の媒体を意味する。
【００４２】
図８は工務店サーバと工務店会員クライアントにおける具体的な実施の一例を示す説明図である。図中の工務店サーバは、図１の第１の機器１に対応しており、会員クライアント、工務店クライアントは、図１の第２の機器２に対応している。すなわち、前記住宅建築用シミュレーションソフトを備えたサーバ（パーソナルコンピュータ）として、ある特定の工務店のサーバがあり、前記工務店の会員であり、住宅建築用ＣＡＤシステムを備えたクライアント（パーソナルコンピュータ）により、前記サーバから送信されてくる住宅建築用シミュレーションソフトを用いて住宅間取りを作成するものである。具体的な手順としては、▲１▼会員のクライアントから工務店のサーバに対してシミュレーションソフトを要求する、▲２▼工務店のサーバから会員のクライアントに対してシミュレーションソフトを送信する、▲３▼会員のクライアントにおいて間取りを作成する、▲４▼作成された間取りデータを会員のクライアントから工務店のサーバに送信する、という手順となる。さらに、クライアントからの間取りデータ変換要求に対してサーバは、▲５▼作成された間取りデータを住宅建築用ＣＡＤシステム用の間取りデータに変換し、▲６▼その結果、作成された間取りデータをクライアントに送信する。また、工務店へ送信することも可能である。
【００４３】
図９はＣＡＤメーカとＣＡＤユーザクライアントにおける具体的な実施の一例を示す説明図である。図中のＣＡＤメーカのサーバが図１の第１の機器１に対応しており、ＣＡＤユーザのクライアントが図１の第２の機器２に対応している。すなわち、ある住宅建築用ＣＡＤシステムを製造・販売するＣＡＤシステムメーカのサーバに、前記住宅建築用シミュレーションソフトを備えており、住宅建築用ＣＡＤユーザであるクライアントから前記サーバに対して住宅建築用シミュレーションソフト送信の要求があると、サーバは住宅建築用シミュレーションソフトをクライアントへ送信する。送信された住宅建築用シミュレーションソフトを用いて、間取りを作成後、サーバに対して住宅建築用ＣＡＤシステムの間取りデータへの変換要求を送信することにより、サーバは、住宅建築用ＣＡＤシステム用の間取りデータに変換を行い、クライアントへ該データを送信する。このようにすれば、ＣＡＤユーザが住宅建築用ＣＡＤシステムに不慣れであっても、サーバの住宅建築用シミュレーションソフトを用いて簡単に作成した間取りデータを、サーバの間取りデータ変換処理部を用いてターゲットとなる住宅建築用ＣＡＤシステムの間取りデータに変換できるので、ＣＡＤシステムを使った住宅間取り設計の大部分を操作が容易な住宅建築用シミュレーションソフトにより実現することが可能となる。
【００４４】
【発明の効果】
以上のように、本発明に係る住宅間取り設計支援システムによれば、インターネットに接続されているパーソナルコンピュータなどのクライアント端末さえあれば、一定の訓練を受けているようなＣＡＤオペレータや一部の住宅設計者に限らない大部分のクライアント端末のオペレータでさえ、住宅設計のシミュレーションを行うことが可能であって、前記住宅建築用シミュレーションソフトで作成した間取りのデータを特定の住宅建築用ＣＡＤシステムの間取りデータに変換することにより、ＣＡＤシステムを使った住宅間取り設計の大部分を操作が容易なシミュレーションソフトにより実現することが可能であり、また、前記で問題として挙げている、施主と設計者両者立会いのもと、印刷物を頼りに施主と設計者の意思疎通を図るための時間的、金銭的なコストを大幅に削減することが期待される。
【図面の簡単な説明】
【図１】本発明の住宅間取り設計支援システムに用いる第１の機器及び第２の機器のシステム構成図である。
【図２】住宅建築用シミュレーションソフトによって生成された間取りデータを住宅建築用ＣＡＤシステム用間取りデータに変換するまでの処理フローを示すフローチャートである。
【図３】住宅建築用ＣＡＤシステムによって生成された間取りデータを住宅建築用シミュレーションソフト用間取りデータに変換するまでの処理フローを示すフローチャートである。
【図４】住宅建築用シミュレーションソフトの間取り作成インターフェイスを用いた間取り作成の一例を示す説明図である。
【図５】間取り作成インターフェイスで作成された間取りを３Ｄデータ空間表示ソフトにより３Ｄ立体表示した一例を示す説明図である。
【図６】中間フォーマットを用いて表された間取りデータの一例を示す説明図である。
【図７】住宅建築用ＣＡＤシステム用のデータを用いて表された間取りデータの一例を示す説明図である。
【図８】工務店サーバと工務店会員クライアントにおける具体的な実施の一例を示す説明図である。
【図９】ＣＡＤメーカとＣＡＤユーザクライアントにおける具体的な実施の一例を示す説明図である。
【符号の説明】
１    第１の機器
２    第２の機器
３    住宅建築用シミュレーションソフト
４    間取りデータ変換処理部
４１  中間フォーマット変換部
４２  ＣＡＤデータ付加・削除変換部
【図１】
2004185054.tif 000003
【図２】
2004185054.tif 000004
【図３】
2004185054.tif 000005
【図４】
2004185054.tif 000006
【図５】
2004185054.tif 000007
【図６】
2004185054.tif 000008
【図７】
2004185054.tif 000009
【図８】
2004185054.tif 000010
【図９】
2004185054.tif 000011